(57)【要約】【課題】ラッチ機構の破損を抑制することの可能な電池パック及び電気機器を提供する。【解決手段】ラッチ機構２０は、電池パックを電池パック装着部５２に固定する。ラッチ機構２０は、上ケース４の外部に露出し作業者に操作される操作部２２と、操作部２２に連結し工具本体の電池パック装着部５２と係合する爪部２１と、を備える。電池パックの上ケース４は、電池パックが電池パック装着部５２に対して外れる方向に移動した際に爪部２１と接触して爪部２１が上ケース４の内部に引っ込む方向に動作するように案内する傾斜部４０を有する。【選択図】図１０
2020009622.tif 000002
【特許請求の範囲】
【請求項１】
電池セルと、
前記電池セルを収容するケースと、
前記ケースを電気機器本体に固定するラッチ機構と、を有し、
前記ラッチ機構は、前記ケースの外部に露出し作業者に操作される操作部と、前記操作部に連結し前記電気機器本体と係合する係合部と、を備え、
前記ケースが前記電気機器本体に対して外れる方向に移動した際に前記係合部が前記ケースの内部に引っ込む方向に動作するように案内する案内部を設けた、電池パック。
【請求項２】
前記案内部は、前記ケースが前記電気機器本体に対して外れる方向に移動した際に前記係合部と接触して前記係合部が前記ケースの内部に引っ込む方向に動作するように案内する傾斜部を有する、請求項１に記載の電池パック。
【請求項３】
電池セルと、
前記電池セルを収容するケースと、
前記ケースを電気機器本体に固定するラッチ機構と、を有し、
前記ラッチ機構は、前記ケースの外部に露出し作業者に操作される操作部と、前記操作部に連結し前記電気機器本体と係合する係合部と、を備え、
前記ケースが前記電気機器本体に対して外れる方向に移動した際に前記係合部と接触して前記係合部が前記ケースの内部に引っ込む方向に動作するように案内する傾斜部を設けた、電池パック。
【請求項４】
前記係合部は、前記電気機器本体と係合する係合面と、前記電気機器本体への接続方向において前記係合面の反対側に位置する反係合面と、を有し、
前記傾斜部は、前記ケースのうち前記反係合面と対向する部分に設けられる、請求項２又は３に記載の電池パック。
【請求項５】
前記ケースは、前記電気機器本体への装着ガイドとなる凹条部と、前記凹条部の底部に開口した穴部と、を有し、
前記係合部は、前記穴部を通って前記凹条部の前記底部から外側に突出し、
前記穴部の開口部が前記凹条部の側部に跨がり、又は、前記穴部に連なる凹部が前記凹条部の側部に設けられ、
前記係合部は、前記凹条部の側部の前記開口部内、又は、前記凹部の内側に延在し、
前記傾斜部は、前記開口部の内面、又は、前記凹部の内面に設けられる、請求項４に記載の電池パック。
【請求項６】
前記係合部は、前記電気機器本体と係合する係合面と、前記電気機器本体への接続方向において前記係合面の反対側に位置する反係合面と、を有し、
前記傾斜部は、前記反係合面に設けられる、請求項２又は３に記載の電池パック。
【請求項７】
前記係合部は、前記電気機器本体と係合する係合面を有し、
前記傾斜部は、前記係合面に設けられる、請求項２又は３に記載の電池パック。
【請求項８】
前記係合部が前記ケースの外部に露出する方向に前記ラッチ機構を付勢する付勢部材を有する、請求項１から７いずれか一項に記載の電池パック。
【請求項９】
前記付勢部材の付勢力より、前記ケースが前記電気機器本体に対して外れる方向に移動したことにより前記案内部に加わる前記付勢力と反対向きの力が大きくなると、前記係合部と前記電気機器本体との係合が解除される、請求項８に記載の電池パック。
【請求項１０】
請求項１から９のいずれか一項に記載の電池パックと、
前記電池パックが装着される電気機器本体と、を備える、電気機器。
【請求項１１】
電気機器本体と、前記電気機器本体に着脱可能に装着される電池パックと、を備え、
前記電池パックと前記電気機器本体とを固定するラッチ機構と、を有し、
前記ラッチ機構は、前記電気機器本体と前記電池パックの一方に設けられて作業者に操作される操作部と、前記一方に設けられ前記操作部に連結し前記電気機器本体と前記電池パックの他方に設けた被係合部と係合する係合部と、を備え、
前記電池パックが前記電気機器本体に対して外れる方向に移動した際に前記係合部が前記被係合部から外れる方向に動作するように案内する案内部を設けた、電気機器。
【請求項１２】
前記案内部は、前記電池パックが前記電気機器本体に対して外れる方向に移動した際に前記係合部と接触して前記係合部が前記被係合部から外れる方向に動作するように案内する傾斜部を有する、請求項１１に記載の電気機器。
【発明の詳細な説明】
【技術分野】
【０００１】
本発明は、例えばコードレス電動工具等の電気機器の本体に着脱可能に装着される電池パック、及び電池パックを着脱可能に装着する電気機器に関する。
【背景技術】
【０００２】
電池パックからの供給電力で動作する電気機器（例えばコードレス電動工具）が広く知られている。電池パックは、充電可能なリチウム電池等の二次電池セルを内蔵する。電池パックは、例えば、電気機器本体の電池取付部に、レール部に沿って横方向にスライドさせて装着され、ラッチ機構により装着状態が維持される。具体的には、電池パックに設けられたラッチ機構の爪部と、電気機器本体に設けられたラッチ凹部あるいはラッチ凸部とが係合し、電池パックが電気機器本体から外れないようになっている。
【先行技術文献】
【特許文献】
【０００３】
【特許文献１】特開２０１７−１７４６８３号公報
【発明の概要】
【発明が解決しようとする課題】
【０００４】
電池パックを装着した電気機器が地面に落下した場合等には、ラッチ機構に負荷がかかり、ラッチ機構が破損する恐れがある。
【０００５】
本発明は、ラッチ機構の破損を抑制することの可能な電池パック及び電気機器を提供することを目的とする。また、本発明は、ラッチ機構に負荷がかかった際に電池パックが電気機器本体から外れやすい電池パック及び電気機器を提供することを目的とする。
【課題を解決するための手段】
【０００６】
本発明のある態様は、電池パックである。この電池パックは、
電池セルと、
前記電池セルを収容するケースと、
前記ケースを電気機器本体に固定するラッチ機構と、を有し、
前記ラッチ機構は、前記ケースの外部に露出し作業者に操作される操作部と、前記操作部に連結し前記電気機器本体と係合する係合部と、を備え、
前記ケースが前記電気機器本体に対して外れる方向に移動した際に前記係合部が前記ケースの内部に引っ込む方向に動作するように案内する案内部を有する。
【０００７】
前記案内部は、前記ケースが前記電気機器本体に対して外れる方向に移動した際に前記係合部と接触して前記係合部が前記ケースの内部に引っ込む方向に動作するように案内する傾斜部を有してもよい。
【０００８】
本発明のもう１つの態様は、電池パックである。この電池パックは、
電池セルと、
前記電池セルを収容するケースと、
前記ケースを電気機器本体に固定するラッチ機構と、を有し、
前記ラッチ機構は、前記ケースの外部に露出し作業者に操作される操作部と、前記操作部に連結し前記電気機器本体と係合する係合部と、を備え、
前記ケースが前記電気機器本体に対して外れる方向に移動した際に前記係合部と接触して前記係合部が前記ケースの内部に引っ込む方向に動作するように案内する傾斜部を有する。
【０００９】
前記係合部は、前記電気機器本体と係合する係合面と、前記電気機器本体への接続方向において前記係合面の反対側に位置する反係合面と、を有し、
前記傾斜部は、前記ケースのうち前記反係合面と対向する部分に設けられてもよい。
【００１０】
前記ケースは、前記電気機器本体への装着ガイドとなる凹条部と、前記凹条部の底部に開口した穴部と、を有し、
前記係合部は、前記穴部を通って前記凹条部の前記底部から外側に突出し、
前記穴部の開口部が前記凹条部の側部に跨がり、又は、前記穴部に連なる凹部が前記凹条部の側部に設けられ、
前記係合部は、前記凹条部の側部の前記開口部内、又は、前記凹部の内側に延在し、
前記傾斜部は、前記開口部の内面、又は、前記凹部の内面に設けられてもよい。
【００１１】
前記係合部は、前記電気機器本体と係合する係合面と、前記電気機器本体への接続方向において前記係合面の反対側に位置する反係合面と、を有し、
前記傾斜部は、前記反係合面に設けられてもよい。
【００１２】
前記係合部は、前記電気機器本体と係合する係合面を有し、
前記傾斜部は、前記係合面に設けられてもよい。
【００１３】
前記係合部が前記ケースの外部に露出する方向に前記ラッチ機構を付勢する付勢部材を有してもよい。
【００１４】
前記付勢部材の付勢力より、前記ケースが前記電気機器本体に対して外れる方向に移動したことにより前記案内部に加わる前記付勢力と反対向きの力が大きくなると、前記係合部と前記電気機器本体との係合が解除されてもよい。
【００１５】
本発明のもう１つの態様は、電気機器である。この電気機器は、
前記電池パックと、
前記電池パックが装着される電気機器本体と、を備える。
【００１６】
本発明のもう１つの態様は、電気機器である。この電気機器は、
電気機器本体と、前記電気機器本体に着脱可能に装着される電池パックと、を備え、
前記電池パックと前記電気機器本体とを固定するラッチ機構と、を有し、
前記ラッチ機構は、前記電気機器本体と前記電池パックの一方に設けられて作業者に操作される操作部と、前記一方に設けられ前記操作部に連結し前記電気機器本体と前記電池パックの他方に設けた被係合部と係合する係合部と、を備え、
前記電池パックが前記電気機器本体に対して外れる方向に移動した際に前記係合部が前記被係合部から外れる方向に動作するように案内する案内部を有する。
【００１７】
前記案内部は、前記電池パックが前記電気機器本体に対して外れる方向に移動した際に前記係合部と接触して前記係合部が前記被係合部から外れる方向に動作するように案内する傾斜部を有してもよい。
【００１８】
なお、以上の構成要素の任意の組合せ、本発明の表現を方法やシステムなどの間で変換したものもまた、本発明の態様として有効である。
【発明の効果】
【００１９】
本発明によれば、ラッチ機構の破損を抑制することの可能な電池パック及び電気機器を提供することができる。また、本発明によれば、ラッチ機構に負荷がかかった際に電池パックが電気機器本体から外れやすい電池パック及び電気機器を提供することができる。
【図面の簡単な説明】
【００２０】
【図１】本発明の実施の形態１に係る電動工具１の側面図。
【図２】電動工具１が床面７０に落下する様子の一例を示す側面図。
【図３】電池パック２の斜視図。
【図４】電池パック２の分解斜視図。
【図５】電池パック２の上ケース４の左半分を、ラッチ機構２０及びスプリング２５を組み込んだ状態で下方から見た拡大図。
【図６】図５のラッチ機構２０の周囲を拡大した斜視図。
【図７】図１の電動工具本体５０の電池パック装着部５２を下方から見た図。
【図８】ラッチ機構２０及びスプリング２５を組み込んだ上ケース４と、電動工具本体５０の電池パック装着部５２と、の装着方法説明図。
【図９】同装着状態説明図。
【図１０】図９のＸ−Ｘ断面図。
【図１１】図１０の状態からラッチ機構２０の操作部２２を押し込んだ場合の断面図。
【図１２】図２に示すように電動工具１を床面７０に落下させた場合のラッチ機構２０の状態を図１０と同じ断面で示す断面図。
【図１３】図１２から時間を進めた場合のラッチ機構２０の状態を示す断面図。
【図１４】図１３から時間を進めた場合のラッチ機構２０の状態を示す断面図。
【図１５】本発明の実施の形態２における、電動工具本体の電池パック装着部５２と、電池パックのラッチ機構２０と、の相互係合部近傍の拡大断面図。
【図１６】本発明の実施の形態３における、電動工具本体の電池パック装着部５２と、電池パックのラッチ機構２０と、の相互係合部近傍の拡大断面図。
【図１７】本発明の実施の形態４における、電動工具本体の電池パック装着部５２と、電池パックのラッチ機構２０と、の相互係合部近傍の拡大断面図。
【図１８】本発明の実施の形態５における電池パックのラッチ機構２０近傍の拡大断面図。
【図１９】実施の形態５における、電動工具本体の電池パック装着部５２と、電池パックのラッチ機構２０と、の相互係合部近傍の拡大断面図。
【図２０】本発明の実施の形態６に係る電動工具の下部側面図。
【図２１】本発明の実施の形態７に係る電動工具の下部側面図。
【図２２】本発明の実施の形態８に係る電動工具の下部側面図。
【図２３】比較例に係る電動工具の下部側面図。
【図２４】図２３の状態から作業者の操作によりラッチ解除状態とした場合の下部側面図。
【発明を実施するための形態】
【００２１】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２２】
（実施の形態１）
図１〜図１４を参照し、本発明の実施の形態１の電動工具１について説明する。電動工具１は、コードレス電動工具であり、電気機器の一例である。図１に示すように、電動工具１は、電動工具本体５０と、電池パック２と、を備える。電動工具本体５０は、電気機器本体の一例である。電動工具本体５０は、自身のハンドル部５１の下端部に、電池パック装着部５２を有する。電池パック装着部５２、電池パック２が着脱可能にスライド装着される。電池パック２は、ラッチ機構２０を有する。ラッチ機構２０は、電池パック２を電池パック装着部５２に固定（係止）する。作業者は、ラッチ機構２０の操作部２２を押し込むことで、ラッチ機構２０による固定を解除し、電池パック装着部５２から電池パック２を取り外すことができる。
【００２３】
図３及び図４に示すように、電池パック２は、ケース３と、電池セル６と、基板７と、セパレータ８と、電池側端子（電池側ターミナル）９と、ラッチ機構（ラッチ部材）２０と、を有する。図３により、電池パック２における前後、上下、左右の各方向を定義する。ケース３は、上ケース４及び下ケース５を組み合わせたものであり、左右対称形状である。電池パック２は、ダブルラッチ構造であり、左右のラッチ機構２０は、互いに左右対称形状である。電池セル６、基板７、及びセパレータ８は、ケース３に収容される。
【００２４】
電池セル６は、例えば充電可能なリチウム電池等の二次電池セルである。基板７は、セパレータ８に保持される。基板７には、マイコンや保護回路等のＩＣや各種素子（電子部品）が搭載され、また導電パターンが形成される。セパレータ８は、ケース３内において、電池セル６を所定位置に保持する。電池側端子９は、基板７上に設けられる。電池側端子９は、電池パック２が電池パック装着部５２に装着された場合に、電動工具本体５０の図７に示す工具側端子５５に接触し電気的に接続される。工具側端子５５は、機器側端子の一例である。
【００２５】
上ケース４は、左右両側面の上部にそれぞれ、凹条部１１及び凸条部１３を有する。凹条部１１及び凸条部１３は、電池パック２を電池パック装着部５２にスライド装着する際のガイドとなる。凹条部１１及び凸条部１３は、前後方向と平行に延びる。図７に示すように、電池パック装着部５２には、凸条部５３が設けられる。図８に示すように電池パック２と電池パック装着部５２とを相対的に前後方向にスライドさせると、電池パック２の凹条部１１内に電池パック装着部５２の凸条部５３が入り、図９に示す状態となる。
【００２６】
凹条部１１の底部には、穴部１５（図４）が開口する。凹条部１１の深さ方向は、左右方向である。凹条部１１の底部（底面）は、凹条部１１の最深部（最深面）を意味する。凹条部１１の側部（側面）は、凹条部１１の幅方向両側部分、すなわち凹条部１１の底部の上下部分（上下の側面）をいう。凹条部１１の上側の側部は、凸条部１３の下部（下面）である。穴部１５は、ラッチ機構２０の爪部（係合部）２１を凹条部１１の底部から上ケース４の外側に突出（露出）させるために設けられる。穴部１５の開口部は、凹条部１１の下側の側部に跨がっている。すなわち、凹条部１１の下側の側部に開口した穴部１７は、開口部が穴部１５の開口部と連なっている。凹条部１１の、上側の側部（穴部１７が設けられた側部とは反対側の側部）には、凹部１９（図５及び図６）が設けられる。凹部１９は、穴部１５に連なる。
【００２７】
ラッチ機構２０は、係合部としての爪部２１と、操作部２２と、連結部（腕部）２３と、を含む。連結部２３は、上ケース４内を通って爪部２１と操作部２２とを互いに連結する。爪部２１は、上ケース４の穴部１５を通って凹条部１１の底部から外側（左右方向）に突出する。爪部２１は、前面が好ましくは鈍角に丸味を帯びて屈曲する。図５、図１０、図１１に示すように、爪部２１の前面の屈曲部の頂点２１ｃは、丸味を帯びた角部となっている。爪部２１は、凹部１９内に延在する。爪部２１が図１０に示すように電動工具本体５０の電池パック装着部５２のラッチ凸部（被係合部）５４に引っ掛かる（係合する）ことで、電池パック２が電池パック装着部５２に固定（係止）される。爪部２１の後面は、ラッチ凸部５４と係合する係合面である。爪部２１の前面は、反係合面である。操作部２２は、上ケース４から外側（左右方向）に突出する。操作部２２は、上ケース４内に設けられた付勢部材としてのスプリング２５（図１０等）により、外側に付勢される。作業者が操作部２２を押すと、図１１に示すようにスプリング２５の付勢に抗してラッチ部材２０が上ケース４の内側に押し込まれ（スライド移動し）、ラッチ部材２０の爪部２１と電池パック装着部５２のラッチ凸部５４との係合が解除され、電池パック２を電動工具本体５０から取り外すことができる。
【００２８】
図５及び図６に示すように、上ケース４には、案内部としての傾斜部（傾斜面）４０が設けられる。傾斜部４０は、例えば図２に示すように電動工具１が床面７０に落下する等により、ケース３が電動工具本体５０に対して外れる方向に移動した際に、爪部２１と接触して爪部２１が上ケース４の内部に引っ込む方向に動作するように案内する。傾斜部４０は、前後方向と垂直な面に対して傾斜した部分であり、上下方向と平行である。図５に示すように、左側の傾斜部４０は、左後ろから右前に延びるように傾斜する。傾斜部４０は、爪部２１の前方に設けられ、爪部２１の前面（反係合面）と対向する。図６に示す傾斜部４０ａは、傾斜部４０のうち、凹部１９の内面に位置する部分である。傾斜部４０ｂは、傾斜部４０のうち、穴部１７の内面に位置する部分である。
【００２９】
図１２〜図１４を参照し、図２に示すように電動工具１が床面７０に落下した場合のラッチ機構２０の動作を説明する。図１２〜図１４に示す同図中における右向きの矢印は、図２に示すように電動工具１が床面７０に落下した場合に電池パック装着部５２が上ケース４に対して相対移動しようとする向きである。図２に示すように電動工具１が床面７０に落下すると、落下の衝撃により、電池パック装着部５２のラッチ凸部５４が、ラッチ機構２０の爪部２１を急激に前方に引っ張る。これにより、ラッチ機構２０の連結部２３が瞬間的に前後方向に引き延ばされる。ここで、電池パック２はダブルラッチ構造であり、凹条部１１に爪部２１が突出する関係で、連結部２３は前後方向に比較的長く延出する。このため、連結部２３に前後方向に引き延ばされる力が働くと、爪部２１は比較的大きく前方に移動し、上ケース４の傾斜部４０に接触する。具体的には、図１２中に示す点Ｐ１の位置で、爪部２１の前面（図１０に示す頂点２１ｃ）が上ケース４の傾斜部４０に衝突する。このとき、爪部２１は、傾斜部４０のうち、凹部１９の内面に位置する傾斜部４０ａと衝突する。傾斜部４０の傾斜に案内される形で、ラッチ機構２０は、爪部２１が上ケース４の内側に引っ込む方向に回動する。すなわち、爪部２１と傾斜部４０の接触位置は、傾斜部４０の傾斜に案内され、図１２に示す点Ｐ１から、図１３に示す点Ｐ２、図１４に示す点Ｐ３と順に上ケース４の内側にずれていく。図１４の状態では、爪部２１とラッチ凸部５４の係合は解除されている。スプリング２５の付勢力より、上ケース４が電動工具本体５０に対して外れる方向に移動したことにより傾斜部４０に加わる前記付勢力と反対向きの力が大きいと、爪部２１とラッチ凸部５４との係合が解除される。その後、電池パック装着部５２が上ケース４に対して更に前方に移動することで、電池パック２が電池パック装着部５２から外れる。ここで、傾斜部４０が前後方向と垂直な面の場合には、図１２〜図１４に示すようなラッチ機構２０の回動がスムーズに行かずに、応力集中によりラッチ機構２０が破損するリスクがある。傾斜部４０は、そのようなラッチ機構２０の破損リスクを抑制するものである。
【００３０】
本実施の形態によれば、下記の効果を奏することができる。
【００３１】
(1) 上ケース４が傾斜部４０を有するため、図２に示すように電動工具１が床面７０に落下する等によりケース３が電動工具本体５０に対して外れる方向に移動した際に、爪部２１が傾斜部４０に案内されて上ケース４の内部に引っ込む方向に動作し、爪部２１とラッチ凸部５４との係合が解除される。このため、ラッチ機構２０に過大な負荷がかかることを抑制でき、ラッチ機構２０の破損を抑制することができる。また、ラッチ機構２０に負荷がかかった際に電池パック２を電動工具本体５０から外れやすくすることができる。
【００３２】
(2) 傾斜部４０が、凹部１９の内面に位置する傾斜部４０ａを有し、爪部２１が凹部１９内に延在するため、図２に示すように電動工具１が床面７０に落下する等によりケース３が電動工具本体５０に対して外れる方向に移動した際に、傾斜部４０ａが爪部２１を受け止めることができる。すなわち、爪部２１をより確実に傾斜部４０で受けることができ、爪部２１をより確実に上ケース４の内部に引っ込む方向に動作させることができる。
【００３３】
実施の形態１において、爪部２１は、凹部１９内に延在することに加えて又はそれに替えて、穴部１７内に延在してもよい。爪部２１が穴部１７内に延在する場合、図２に示すように電動工具１が床面７０に落下する等によりケース３が電動工具本体５０に対して外れる方向に移動した際に、穴部１７の内面に位置する傾斜部４０ｂが爪部２１を受けることができる。すなわち、爪部２１をより確実に傾斜部４０で受けることができ、爪部２１をより確実に上ケース４の内部に引っ込む方向に動作させることができる。また、爪部１２を凹部１９及び穴部１７の両方に延在させてもよい。この場合、爪部２１と傾斜部４０との接触領域が大きくなるため爪部２１をより確実に傾斜部４０で受けることができ、爪部２１をより確実に上ケース４の内部に引っ込む方向に動作させることができる。
【００３４】
（実施の形態２）
図１５は、本発明の実施の形態２における、電動工具本体の電池パック装着部５２と、電池パックのラッチ機構２０と、の相互係合部近傍の拡大断面図である。以下、実施の形態１との相違点を中心に説明する。実施の形態１の傾斜部４０は、本実施の形態では前後方向と垂直な面に変わっている。爪部２１は、後面（係合面）に、案内部としての傾斜部（傾斜面）２１ａを有する。傾斜部２１ａは、前後方向と垂直な面に対して傾斜した部分であり、上下方向と平行である。左側のラッチ機構２０の爪部２１の傾斜部２１ａは、左前から右後ろに延びるように傾斜する。本実施の形態では、上ケース４が電池パック装着部５２に対して外れる方向に移動した際に、傾斜部２１ａとラッチ凸部５４との係合により、爪部２１が上ケース４の内部に引っ込む方向に動作し、爪部２１とラッチ凸部５４との係合が解除される。このため、ラッチ機構２０に過大な負荷がかかることを抑制でき、ラッチ機構２０の破損を抑制することができる。また、ラッチ機構２０に負荷がかかった際に電池パックを電動工具本体から外れやすくすることができる。
【００３５】
（実施の形態３）
図１６は、本発明の実施の形態３における、電動工具本体の電池パック装着部５２と、電池パックのラッチ機構２０と、の相互係合部近傍の拡大断面図である。以下、実施の形態１との相違点を中心に説明する。実施の形態１の傾斜部４０は、本実施の形態では前後方向と垂直な面に変わっている。ラッチ凸部５４は、爪部２１と係合する係合面に、案内部としての傾斜部（傾斜面）５４ａを有する。傾斜部５４ａは、前後方向と垂直な面に対して傾斜した部分であり、上下方向と平行である。左側のラッチ凸部５４の傾斜部５４ａは、左前から右後ろに延びるように傾斜する。本実施の形態では、上ケース４が電池パック装着部５２に対して外れる方向に移動した際に、傾斜部５４ａと爪部２１との係合により、爪部２１が上ケース４の内部に引っ込む方向に動作し、爪部２１とラッチ凸部５４との係合が解除される。このため、ラッチ機構２０に過大な負荷がかかることを抑制でき、ラッチ機構２０の破損を抑制することができる。また、ラッチ機構２０に負荷がかかった際に電池パックを電動工具本体から外れやすくすることができる。
【００３６】
（実施の形態４）
図１７は、本発明の実施の形態４における、電動工具本体の電池パック装着部５２と、電池パックのラッチ機構２０と、の相互係合部近傍の拡大断面図である。本実施の形態は、実施の形態２及び実施の形態３の組合せに対応し、爪部２１が後面に傾斜部２１ａを有し、ラッチ凸部５４が爪部２１との係合面に傾斜部５４ａを有する。本実施の形態によれば、傾斜部２１ａと傾斜部５４ａの係合により、実施の形態２及び実施の形態３と同様に、ラッチ機構２０の破損を抑制し、ラッチ機構２０に負荷がかかった際に電池パックを電動工具本体から外れやすくすることができる。
【００３７】
（実施の形態５）
図１８は、本発明の実施の形態５における電池パックのラッチ機構２０近傍の拡大断面図である。図１９は、実施の形態５における、電動工具本体の電池パック装着部５２と、電池パックのラッチ機構２０と、の相互係合部近傍の拡大断面図である。以下、実施の形態４との相違点を中心に説明する。爪部２１は、前面（反係合面）に、案内部としての傾斜部（傾斜面）２１ｂを有する。傾斜部２１ｂは、前後方向と垂直な面に対して傾斜した部分であり、上下方向と平行である。左側のラッチ機構２０の爪部２１の傾斜部２１ｂは、左後ろから右前に延びるように傾斜する。上ケース４は、傾斜部２１ｂと対向する位置に、Ｒ面４１を有する。上ケース４の左側のＲ面４１は、右後方に凸となるＲ面である。本実施の形態によれば、傾斜部２１ａと傾斜部５４ａの係合に加え、傾斜部２１ｂとＲ面４１の係合も、ラッチ機構２０の破損を抑制し、ラッチ機構２０に負荷がかかった際に電池パックを電動工具本体から外れやすくする効果を奏する。
【００３８】
（実施の形態６）
図２０は、本発明の実施の形態６に係る電動工具の下部側面図である。図１５に示す実施の形態２の技術をシングルラッチ構造の電池パック２Ａに適用したものである。電動工具本体の電池パック装着部５２Ａに、電池パック２Ａが前後方向にスライド装着される。ラッチ機構２０は、電池パック２Ａの後上部中央に設けられる。ラッチ機構２０の爪部２１は、上方に突出して、電池パック装着部５２Ａのラッチ凹部（被係合部）５７に入り込む。本実施の形態の電動工具は、電池パック２Ａのラッチ機構２０の爪部２１が後面に案内部としての傾斜部（傾斜面）２１ｅを有する以外は構造として周知である。傾斜部２１ｅは、前後方向と垂直な面に対して傾斜した部分であり、左右方向と平行である。傾斜部２１ｅは、後方下部から、前方上部に延びように傾斜する。本実施の形態では、電池パック２Ａが電池パック装着部５２Ａに対して外れる方向に移動した際に、傾斜部２１ｅとラッチ凹部５７との係合により、爪部２１が電池パック２Ａのケース内に引っ込む方向に動作し、爪部２１とラッチ凹部５７との係合が解除される。このため、ラッチ機構２０に過大な負荷がかかることを抑制でき、ラッチ機構２０の破損を抑制することができる。また、ラッチ機構２０に負荷がかかった際に電池パック２Ａを電池パック装着部５２Ａから外れやすくすることができる。
【００３９】
（実施の形態７）
図２１は、本発明の実施の形態７に係る電動工具の下部側面図である。以下、実施の形態６との相違点を中心に説明する。電池パック２Ｂのラッチ機構２０の爪部２１の後面は、非傾斜部であり、前後方向と垂直である。一方、電池パック装着部５２Ｂのラッチ凹部５７の、爪部２１の後面との対向面は、案内部としての傾斜部（傾斜面）５７ａとなっている。傾斜部５７ａは、前後方向と垂直な面に対して傾斜した部分であり、左右方向と平行である。傾斜部５７ａは、後方下部から、前方上部に延びように傾斜する。本実施の形態では、電池パック２Ｂが電池パック装着部５２Ｂに対して外れる方向に移動した際に、傾斜部５７ａと爪部２１との係合により、爪部２１が電池パック２Ｂのケース内に引っ込む方向に動作し、爪部２１とラッチ凹部５７との係合が解除される。このため、ラッチ機構２０に過大な負荷がかかることを抑制でき、ラッチ機構２０の破損を抑制することができる。また、ラッチ機構２０に負荷がかかった際に電池パック２Ｂを電池パック装着部５２Ｂから外れやすくすることができる。
【００４０】
（実施の形態８）
図２２は、本発明の実施の形態８に係る電動工具の下部側面図である。本実施の形態は、実施の形態６及び実施の形態７の組合せに対応し、電池パック２Ｃのラッチ機構２０の爪部２１が後面に傾斜部２１ｅを有し、電池パック装着部５２Ｃのラッチ凹部５７は爪部２１の後面との対向面に傾斜部５７ａを有する。本実施の形態によれば、傾斜部２１ｅと傾斜部５７ａの係合により、実施の形態６及び実施の形態７と同様に、ラッチ機構２０の破損を抑制し、ラッチ機構２０に負荷がかかった際に電池パック２Ｃを電池パック装着部５２Ｃから外れやすくすることができる。
【００４１】
図２３は、比較例に係る電動工具の下部側面図である。図２４は、図２３の状態から作業者の操作によりラッチ解除状態とした場合の下部側面図である。本比較例は、図２０に示す実施の形態６の爪部２１の後面を非傾斜部としたものである。本比較例において、作業者が操作部２２を押し下げることで爪部２１とラッチ凹部５７との係合を解除できる点は、前述の図２０〜図２２の実施形態と同様である。本比較例では、前述の図２０〜図２２の実施形態と異なり、電池パック２Ｄが電池パック装着部５２Ｄに対して外れる方向に移動しても、爪部２１を電池パック２Ｄのケース内に引っ込む方向に動作させる力が働きにくく、ラッチ機構２０に過大な負荷がかかり、ラッチ機構２０が破損しやすい。また、ラッチ機構２０に負荷がかかった際に電池パック２Ｄが電池パック装着部５２Ｄから外れにくい。
【００４２】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４３】
本発明の電気機器は、実施の形態で例示した電動工具に限定されず、電池パックを着脱可能に装着する他の種類の電気機器であってもよい。また、ラッチ機構２０を電気機器本体側に設け、ラッチ機構２０の爪部（係合部）２１が係合する被係合部（ラッチ凸部５４やラッチ凹部５７に相当）を電池パック側に設けた構成であってもよい。
【符号の説明】
【００４４】
１  電動工具（電気機器）、２  電池パック、２Ａ〜２Ｄ  電池パック、３  ケース、４  上ケース、５  下ケース、６  電池セル、７  基板、８  セパレータ、９  電池側端子（電池側ターミナル）、１１  凹条部、１３  凸条部、１５  穴部、１７  穴部、１９  凹部、２０  ラッチ部材（ラッチ機構）、２１  爪部（係合部）、２１ａ  傾斜部（案内部）、２１ｂ  傾斜部（案内部）、２２  操作部、２３  連結部（腕部）、２５  スプリング（付勢部材）、４０  傾斜部（案内部）、４０ａ  傾斜部（案内部）、４０ｂ  傾斜部（案内部）、４１  Ｒ面、５０  電動工具本体（電気機器本体）、５１  ハンドル部、５２  電池パック装着部、５２Ａ〜５２Ｄ  電池パック装着部、５３  凸状部、５４  ラッチ凸部（被係合部）、５４ａ  傾斜部、５５  工具側端子（工具側ターミナル）、５７  ラッチ凹部（被係合部）、５７ａ  傾斜部、７０  床面
【図１】
2020009622.tif 000003
【図２】
2020009622.tif 000004
【図３】
2020009622.tif 000005
【図４】
2020009622.tif 000006
【図５】
2020009622.tif 000007
【図６】
2020009622.tif 000008
【図７】
2020009622.tif 000009
【図８】
2020009622.tif 000010
【図９】
2020009622.tif 000011
【図１０】
2020009622.tif 000012
【図１１】
2020009622.tif 000013
【図１２】
2020009622.tif 000014
【図１３】
2020009622.tif 000015
【図１４】
2020009622.tif 000016
【図１５】
2020009622.tif 000017
【図１６】
2020009622.tif 000018
【図１７】
2020009622.tif 000019
【図１８】
2020009622.tif 000020
【図１９】
2020009622.tif 000021
【図２０】
2020009622.tif 000022
【図２１】
2020009622.tif 000023
【図２２】
2020009622.tif 000024
【図２３】
2020009622.tif 000025
【図２４】
2020009622.tif 000026